(57)【要約】【課題】  自然の中の水路に近い水中生物の生息環境を得るとともに、自然の水路のような淀みや渦流等の多種多様な水流を発生させることにより、水路における自然環境の復元に貢献する。【解決手段】  水路Ｒを形成するコンクリート製の水路用ブロックであって、特に、底面部２ｄ…及び少なくとも左右の側面部２ｐ…，２ｑ…により水路Ｒを形成するブロック本体部１を備え、底面部２ｄ…に、上下方向に貫通する開口部３…を設けるとともに、側面部２ｐ…，２ｑ…の内面に、凹状の収容部４ｐ…，４ｑ…を設け、かつ収容部４ｐ…，４ｑ…に複数の多孔質岩石５…を固定する。【選択図】  図１
2005155219.tif 000002
【特許請求の範囲】
【請求項１】
水路を形成するコンクリート製の水路用ブロックにおいて、底面部及び少なくとも左右の側面部により水路を形成するブロック本体部を備え、前記底面部に、上下方向に貫通する開口部を設けるとともに、前記側面部の内面に、凹状の収容部を設け、かつ前記収容部に複数の多孔質岩石を固定してなることを特徴とする水路用ブロック。
【請求項２】
前記収容部は、前記側面部の内面から突出した一対の突縁部により形成することを特徴とする請求項１記載の水路用ブロック。
【請求項３】
前記底面部の下面から下方に突出し、かつ前記開口部を囲むダクト部を有することを特徴とする請求項１記載の水路用ブロック。
【請求項４】
全体を一体により構成又は全体を二以上の分割体の組合わせにより構成することを特徴とする請求項１記載の水路用ブロック。
【請求項５】
底面部及び少なくとも左右の側面部により水路を形成するコンクリート製の水路ブロックに取付ける水路用アタッチメントであって、前記側面部の内面に重なり、かつ全部又は一部を網材により形成した偏平な駕籠部と、この駕籠部に収容した複数の多孔質岩石と、前記駕籠部に設け、かつこの駕籠部を前記水路ブロックに取付ける取付部を備えることを特徴とする水路用アタッチメント。
【発明の詳細な説明】
【技術分野】
【０００１】
本発明は、水路を形成する水路用ブロック及び既設の水路ブロックに取付ける水路用アタッチメントに関する。
【背景技術】
【０００２】
一般に、底面部及び左右の側面部により水路を形成するコンクリート製のＵ字溝ブロック（水路ブロック）は知られている。
【０００３】
ところで、自然の中の水路は、地面が直接削られて出来るため、水は自然の土や石等で囲まれた水路を流れる。したがって、水路は、魚類，水生昆虫類，水生植物類，藻類，微生物類（プランクトン）等の各種水中生物の生息場所となり、本来の自然環境が形成されている。しかし、コンクリート製のＵ字溝ブロックは、主に水流抵抗を少なくして水を円滑に流すことを目的に水路を形成するため、自然の中の水路とは大きく掛け離れており、結果的に、水中生物が生息できないとともに、水に対する自然浄化作用も行われないなど、自然環境が破壊された状態になっている。
【０００４】
このため、従来より、このような問題点を少しでも解消しようとした改善形の水路ブロックも提案されており、例えば、特開平１０−１３５０号公報では、コンクリートに、トルマリン鉱石を含ませて水質浄化を図ったコンクリート製品（水路ブロック）が開示されている。
【特許文献１】特開平１０−１３５０号
【発明の開示】
【発明が解決しようとする課題】
【０００５】
しかし、上述したコンクリート製品をはじめ、従来の水路ブロックは、次のような問題点があった。
【０００６】
第一に、自然の中の水路に比べ、土や石等が量的かつ質的に不足するため、水中生物の生息環境を確保することは困難であり、結局、自然環境を復元するという観点からは不十分である。
【０００７】
第二に、水路の形状的な観点からも、従来のＵ字溝ブロックの域を出ないため、自然の水路における淀みや渦流等の多種多様な水流が発生しにくく、この観点からも自然環境を復元するには不十分である。
【０００８】
本発明は、このような背景技術に存在する課題を解決した水路用ブロック及び水路用アタッチメントの提供を目的とするものである。
【課題を解決するための手段】
【０００９】
本発明に係る水路用ブロックＢａ，Ｂｂは、上述した課題を解決するため、水路Ｒを形成するコンクリート製の水路用ブロックであって、特に、底面部２ｄ…及び少なくとも左右の側面部２ｐ…，２ｑ…により水路Ｒを形成するブロック本体部１を備え、底面部２ｄ…に、上下方向に貫通する開口部３…を設けるとともに、側面部２ｐ…，２ｑ…の内面に、凹状の収容部４ｐ…，４ｑ…を設け、かつ収容部４ｐ…，４ｑ…に複数の多孔質岩石５…を固定してなることを特徴とする。
【００１０】
また、本発明に係る水路用アタッチメントＡは、上述した課題を解決するため、底面部１１ｄ及び少なくとも左右の側面部１１ｐ，１１ｑにより水路Ｒを形成するコンクリート製の水路ブロックＢｒに取付ける水路用アタッチメントであって、側面部１１ｐ，１１ｑの内面に重なり、かつ全部又は一部を網材Ｎにより形成した偏平な駕籠部１２ｐ，１２ｑと、この駕籠部１２ｐ，１２ｑに収容した複数の多孔質岩石５…と、駕籠部１２ｐ，１２ｑに設け、かつこの駕籠部１２ｐ，１２ｑを水路ブロックＢｒに取付ける取付部１３ｐ…，１３ｑ…を備えることを特徴とする。
【発明の効果】
【００１１】
このような構成を有する本発明に係る水路用ブロックＢａ，Ｂｂ（及び水路用アタッチメントＡ）によれば、次のような顕著な効果を奏する。
【００１２】
（１）  土や石等が量的にもかつ質的にも十分確保されるため、自然の中の水路に近い水中生物の生息環境を得ることができ、もって、水路Ｒにおける自然環境の復元に貢献することができる。
【００１３】
（２）  水路Ｒの形状的な観点からも、凹凸や多孔等による変化のある水路Ｒを形成できるため、自然の水路のような淀みや渦流等の多種多様な水流を発生させることができ、この観点からも水路Ｒにおける自然環境の復元に寄与できる。
【発明を実施するための最良の形態】
【００１４】
本発明に係る水路用ブロックＢａ，Ｂｂによれば、最良の形態により、収容部４ｐ…，４ｑ…は、側面部２ｐ…，２ｑ…の内面から突出した一対の突縁部２１ｉ…，２１ｊ…により形成する。これにより、水路用ブロックＢａ，Ｂｂの製造容易化と低コスト化を図ることができる。また、底面部２ｄ…の下面から下方に突出し、かつ開口部３…を囲むダクト部２２…を設ける。これにより、地面Ｅに対する水流による洗掘を防止できるとともに、更なる多様な水流及び望ましい水中生物の生息環境を得ることができる。一方、水路用ブロック（Ｂａ，Ｂｂ）は、全体を一体に構成した水路用ブロックＢａとしてもよいし、全体を二以上の分割体Ｂｂａ，Ｂｂｂ，Ｂｂｃ…の組合わせにより構成した水路用ブロックＢｂとしてもよい。前者は、水量の少ない水路Ｒに用いて好適となり、水路用ブロックＢａの製造や施工の容易化を図ることができるとともに、後者は、水量の多い大規模な水路Ｒに用いて好適となり、分割体Ｂｂａ…の組合わせにより各種形態の水路用ブロックＢｂを容易に構築できる。
【実施例】
【００１５】
次に、本発明に係る好適な実施例を挙げ、図面に基づき詳細に説明する。
【００１６】
まず、本発明の第一実施例に係る水路用ブロックＢａについて、図１〜図５を参照して説明する。
【００１７】
水路用ブロックＢａは、全体をコンクリートにより一体成型したブロック本体部１を備える。ブロック本体部１は、底面部２ｄ及び左右の側面部２ｐ，２ｑにより水路Ｒを形成し、図４に示すように、全体形状は、正面形状がＵ字形となる一般的なＵ字溝ブロック（側溝用ブロック）に類似する。また、底面部２ｄには、上下方向に貫通する開口部３…を設ける。実施例は、図１及び図３に示すように、矩形に形成した二つの開口部３…を前後に設けている。さらに、図３に示すように、底面部２ｄには、当該底面部２ｄの下面から下方に突出し、かつ各開口部３…を囲む一対のダクト部２２…を一体に設ける。一方、側面部２ｐ，２ｑの内面には、凹状の収容部４ｐ，４ｑをそれぞれ設ける。この場合、各収容部４ｐ，４ｑは、図４に示すように、各側面部２ｐ，２ｑの前後端に、内面から直角に突出する一対の突縁部２１ｉ…，２１ｊ…を設け、この一対の突縁部２１ｉ…，２１ｊ…と底面部２ｄに囲まれたエリアを収容部４ｐ，４ｑとすることができる。
【００１８】
他方、各収容部４ｐ，４ｑには、多孔質岩石５…を収容して固着する。この多孔質岩石５…は、火山岩や軽石等のように、多数の孔を有する自然石（ポーラスロック）を用いることが望ましい。なお、多孔質岩石５…は、収容部４ｐ…の深さ（突縁部２１ｉ…の突出長）に適合するように大きさを選定する。したがって、大きい多孔質岩石５…は、予め適合するように砕いておく。
【００１９】
この場合、収容部４ｐ（４ｑ側も同じ）に多孔質岩石５…を収容して固着する際は、一対の突縁部２１ｉ，２１ｊを利用することができる。まず、図５に示すように、収容部４ｐとなる側面部２ｐの内面に接着材５１を塗布した後、用意した一枚の長方形の治具板５２を、一対の突縁部２１ｉ，２１ｊに跨がるように宛てがう。これにより、収容部４ｐは、上方のみが開放された状態となるため、矢印Ｆのように、多孔質岩石５…を上から収容部４ｐに投入する。そして、収容部４ｐの全体に多孔質岩石５…を詰め込んだなら、そのまま接着材５１が硬化するまで放置する。また、収容部４ｐに多孔質岩石５…を収容して固着する他の方法としては、次のように行うこともできる。まず、接着材５１を塗布しない状態で、治具板５２を一対の突縁部２１ｉ，２１ｊに対して同様に宛てがうとともに、この状態で上から収容部４ｐに対して多孔質岩石５…を投入する。そして、収容部４ｐの全体に多孔質岩石５…を詰め込んだなら、収容部４ｐの上端に第二の治具板（不図示）を宛てがうとともに、側面部２ｐの内面が水平になるように横倒しする。この後、治具板５２を取り、収容部４ｐの中に流動性の高い接着材を流し込むとともに、そのまま接着材５１が硬化するまで放置する。
【００２０】
このように、いずれの場合も一対の突縁部２１ｉ，２１ｊを利用して、収容部４ｐ，４ｑに多孔質岩石５…を収容して固着することができ、水路用ブロックＢａの製造容易化と低コスト化を図ることができる。
【００２１】
このような水路用ブロックＢａは、次のように施工することができる。まず、水路用ブロックＢａは、水路Ｒを形成したい地面Ｅの上にそのまま設置する。この場合、一般的なＵ字溝ブロックの施工と異なり、水路用ブロックＢａを設置する地面Ｅの上に、基礎コンクリート等は打たない。地面Ｅの上は、水路用ブロックＢａにおけるダクト部２２…が埋まる程度の溝或いは水路用ブロックＢａの少なくとも一部が埋まる溝を掘ることが望ましいが、平地であってもよい。また、水路用ブロックＢａは、図１に示すように、一般的なＵ字溝ブロックＢｏと組み合わせて施工する。実施例は、一個の水路用ブロックＢａと二個のＵ字溝ブロックＢｏ…を交互に組合わせ、順次配列することにより連続した水路Ｒを構成する。水路用ブロックＢａ…及びＵ字溝ブロックＢｏ…を設置したなら、図２に示すように、各水路用ブロックＢａ…とＵ字溝ブロックＢｏ…の外側に盛土し、盛土部Ｅｍを設けることにより、各水路用ブロックＢａ…とＵ字溝ブロックＢｏ…を固定する。これにより、目的の水路Ｒを構築することができる。なお、水路用ブロックＢａとＵ字溝ブロックＢｏの組合わせ数量や配置は任意であり、必要により全ての水路Ｒを水路用ブロックＢａ…のみにより構成してもよい。図１及び図２は、施工後における水路用ブロックＢａを示しており、図２の符号Ｗは水路用ブロックＢａを流れる水を示している。
【００２２】
よって、第一実施例に係る水路用ブロックＢａによれば、土や石等が量的にもかつ質的にも十分確保されるため、自然の中の水路に近い水中生物の生息環境を得ることができ、もって、水路Ｒにおける自然環境の復元に貢献することができる。また、水路Ｒの形状的な観点からも、凹凸や多孔等による変化のある水路Ｒを形成できるため、自然の水路のような淀みや渦流等の多種多様な水流を発生させることができ、この観点からも水路Ｒにおける自然環境の復元に寄与できる。しかも、底面部２ｄの下面から下方に突出し、かつ開口部３を囲むダクト部２２…を設けたため、地面Ｅに対する水流による洗掘を防止できるとともに、更なる多様な水流及び望ましい水中生物の生息環境を得ることができる。このような第一実施例の水路用ブロックＢａは、全体を一体に構成するため、水量の少ない水路Ｒに用いて好適となり、水路用ブロックＢａの製造や施工の容易化を図ることができる利点がある。
【００２３】
次に、本発明の第二実施例に係る水路用ブロックＢｂについて、図６及び図７を参照して説明する。
【００２４】
上述した第一実施例に係る水路用ブロックＢａは、全体を一体に構成したものであるが、第二実施例に係る水路用ブロックＢｂは、図６に示すように、全体を二以上の分割体Ｂｂａ…，Ｂｂｂ…，Ｂｂｃ…の組合わせにより構成したものである。
【００２５】
第二実施例の水路用ブロックＢｂは、全部で十個の分割体Ｂｂａ…，Ｂｂｂ…，Ｂｂｃ…を組合わせている。しかし、基本となる分割体は、横側面部用の分割体Ｂｂａと、角部用の分割体Ｂｂｂと、前後側面部用の分割体Ｂｂｃの三種類である。例示の水路用ブロックＢｂは、二個の分割体Ｂｂａ…と、二個の分割体Ｂｂｃ…と、四個の分割体Ｂｂｂ…を用いている。第二実施例の水路用ブロックＢｂは、各分割体Ｂｂａ…，Ｂｂｂ…，Ｂｂｃ…のそれぞれに一対の突起縁部２１ｉ，２１ｊ…を設けた点を除き、全体を組合わせて一体化した際には、第一実施例の水路用ブロックＢａと基本的な構成が同じになり、一つの開口部３と一つのダクト部２２が形成される。その他、第二実施例において、第一実施例と同一部分には、同一番号を付して、その構成を明確にするとともに、その詳細な説明は省略する。
【００２６】
このような水路用ブロックＢｂは、次のように施工することができる。まず、必要な分割体Ｂｂａ…を用意する。実施例の場合、二個の分割体Ｂｂａ…と、二個の分割体Ｂｂｃ…と、四個の分割体Ｂｂｂ…を用意する。そして、水路Ｒを形成する地面Ｅの上に、各分割体Ｂｂａ…を配置し、水路用ブロックＢｂが形づくられるように仮固定する。この状態で周りを第一実施例の場合と同様に盛土すれば、水路用ブロックＢｂを構成することができる。なお、その他の施行は、第一実施例と同様に行うことができる。
【００２７】
これにより、第二実施例に係る水路用ブロックＢｂによっても、上述した第一実施例の水路用ブロックＢａと同様の基本的効果が得られる。また、第二実施例の水路用ブロックＢｂは、全体を二以上の分割体Ｂｂａ，Ｂｂｂ，Ｂｂｃ…の組合わせにより構成するため、任意の大きさ及び形状の水路用ブロックＢｂが得られる。例えば、図６に示す水路用ブロックＢｂは、横側面部用の分割体Ｂｂａを片側一個により構成した場合を示したが、片側二個使用することにより、ほぼ２倍の大きさの水路用ブロックＢｂを構成できる。したがって、このような第二実施例の水路用ブロックＢｂは、水量の多い大規模な水路Ｒに用いて好適となり、分割体Ｂｂａ…の組合わせにより各種形態の水路用ブロックＢｂを容易に構築できる利点がある。
【００２８】
次に、本発明の第三実施例に係る水路用アタッチメントＡについて、図８を参照して説明する。
【００２９】
水路用アタッチメントＡは、第一実施例及び第二実施例とは異なり、既設の水路ブロック（Ｕ字溝ブロック）Ｂｒ、即ち、底面部１１ｄ及び少なくとも左右の側面部１１ｐ，１１ｑにより水路Ｒを形成するコンクリート製の水路ブロックＢｒに取付けるものである。水路用アタッチメントＡは、図８に示すように、水路ブロックＢｒにおける側面部１１ｐ，１１ｑの内面に重なり、かつ全部又は一部を網材Ｎにより形成した偏平な一対の駕籠部１２ｐ，１２ｑを備える。例示の駕籠部１２ｐは、上面部を開放するとともに、後端面部１２ｐｒ及び前端面部１２ｐｆを金属製のプレート材により形成する他は、全面部を金属製の網材Ｎにより形成した。この駕籠部１２ｐは、上述した収容部４ｐに対応する。したがって、駕籠部１２ｐには、上から複数の多孔質岩石５…を詰め込んで駕籠部１２ｐを一杯にする。
【００３０】
また、駕籠部１２ｐの上端には、三つの取付部１３ｐ…を取付ける。各取付部１３ｐ…は、フック状に形成し、水路ブロックＢｒの上端に引掛けることができる形状に形成する。具体的には、Ｌ形に形成した金属製の棒材の一端を、駕籠部１２ｐの上端に溶接等により固着すればよい。なお、他方の駕籠部１２ｑも、上述した一方の駕籠部１２ｐに対して左右対称となる点を除いて、同一に構成する。したがって、同一の駕籠部１２ｐを二つ用意し、一方を左右反転させることにより、駕籠部１２ｑとして用いることができる。他方の駕籠部１２ｑにおいて、１３ｑ…は駕籠部１２ｑの上端に設けた三つの取付部を示す。
【００３１】
さらに、駕籠部１２ｐ，１２ｑの下端には、金属製のプレート材で形成した前後一対の結合部材６１…を溶接等により固着する。結合部材６１は、一方の駕籠部１２ｐに設けた結合片６１ｐと他方の駕籠部１２ｑに設けた結合片６１ｑを有し、図８に示すように、一方の結合片６１ｑの先端に形成した被差込部６１ｑｃに、他方の結合片６１ｐの先端に形成した差込部６１ｐｃを差し込むことにより結合することができる。
【００３２】
これにより、水路用アタッチメントＡは、図８に示すように、結合片６１ｑと結合片６１ｐを結合した状態で、水路ブロックＢｒに対して、上から駕籠部１２ｐ，１２ｑを収容する。そして、取付部１３ｐ…，１３ｑ…を、水路ブロックＢｒにおける側面部１１ｐ，１１ｑと盛土部Ｅｍ間に差し込むとともに、取付部１３ｐ…，１３ｑ…を水路ブロックＢｒの上端に引掛ければよく、容易に施行することができる。この場合、結合部材６１は、底面部１１ｄの上面に接するように各部の寸法を選定する。
【００３３】
よって、第三実施例に係る水路用アタッチメントＡは、既設の水路ブロックＢｒに、後付けにより取付けることができ、既設の水路Ｒを容易に改良することができるとともに、前述した水路用ブロックＢａ，Ｂｂに準ずる効果を得ることができる。
【００３４】
以上、実施例について詳細に説明したが、本発明は、このような実施例に限定されるものではなく、細部の構成，形状，素材，数量等において、本発明の要旨を逸脱しない範囲で、任意に変更，追加，削除することができる。
【図面の簡単な説明】
【００３５】
【図１】本発明の第一実施例に係る水路用ブロックを用いた水路の平面図、
【図２】同水路用ブロックの一部を破断した正面図、
【図３】同水路用ブロックに用いるブロック本体部の一部を破断した側面図、
【図４】同ブロック本体部の斜視図、
【図５】同ブロック本体部に多孔質岩石を収容する方法の説明図、
【図６】本発明の第二実施例に係る水路用ブロックの一部を分解した平面図、
【図７】同水路用ブロックの断面側面図、
【図８】本発明の第三実施例に係る水路用アタッチメントの一部拡大図を含む斜視図、
【符号の説明】
【００３６】
Ｂａ      水路用ブロック
Ｂｂ      水路用ブロック
Ｂｂａ…  分割体
Ｂｒ      水路ブロック
Ａ        水路用アタッチメント
１        ブロック本体部
２ｄ      底面部
２ｐ…    側面部
３…      開口部
４ｐ…    収容部
５…      多孔質岩石
１１ｄ    底面部
１１ｐ…  側面部
１２ｐ…  駕籠部
１３ｐ…  取付部
２１ｉ…  突縁部
２２…    ダクト部
Ｒ        水路
Ｎ        網材
Ｅ        地面
【図１】
2005155219.tif 000003
【図２】
2005155219.tif 000004
【図３】
2005155219.tif 000005
【図４】
2005155219.tif 000006
【図５】
2005155219.tif 000007
【図６】
2005155219.tif 000008
【図７】
2005155219.tif 000009
【図８】
2005155219.tif 000010